(57)【要約】【目的】回転表示球体を構成する球体と、この球体の表面に図柄を表わす筒形の表示帯とを嵌め合せて結合するに当り両者を簡単且つ正確に位置合せすること。【構成】回転表示球体（１）の母体となる球体（２）には赤道（９）上の一定位置に位置決め用基点（１０）を設け、他方筒形の表示帯（３）には外表面の周方向に沿って連続して表示される図柄（１１）の中心を通り、且つ周方向に描かれる仮想の中心線上の一定位置に位置合せ用基点（１２）を表示し、両者の嵌め合せに当って該位置合せ用基点（１２）と前記球体の前記位置決め用基点（１０）とを一致させ、嵌め合わせ位置を決定し正確に結合させる。【選択図】図４
2007296045.tif 000002
【特許請求の範囲】
【請求項１】
球体に対して筒形に形成し表面に周方向に沿って所定の図柄を連続表示する熱収縮性合成樹脂フィルム製の表示帯を被せ、該表示帯を加熱収縮して前記球体の表面に貼り付けることによって球体の表面に前記図柄を表示するようにしてなる遊技機用表示装置の回転表示球体において、
前記球体には表面の回転方向に沿った赤道上の一定位置に位置決め用基点を設置し、他方前記表示帯には前記筒形の状態における前記図柄表示の中心線上の一定位置に位置合せ用基点を設置して該表示帯を前記球体に被せる際に上記位置合せ用基点を前記位置決め用基点に合せることで前記球体と位置合せし、この状態で加熱収縮して貼り付けることを特徴とした遊技機用表示装置の回転表示球体。
【請求項２】
請求項１の記載において、球体は半球形をなす２つの殻体から構成し、該２つの殻体の開口部を衝き合せることによって形成される衝き合せ開口縁を赤道にすると共に、該赤道上に位置決め用基点を設置することを特徴とした遊技機用表示装置の回転表示球体。
【請求項３】
請求項１の記載において、筒形に形成される表示帯の位置合せ用基点には位置決めの許容範囲を示す限界線を合せ表示することを特徴とした遊技機用表示装置の回転表示球体。
【請求項４】
請求項１の記載において、筒形に形成される表示帯の図柄表示の中心線上に位置合せ用基点に対して所要の間隔を置いて第２の位置合せ用基点を１若しくは複数個設置することを特徴とした遊技機用表示装置の回転表示球体。
【請求項５】
請求項４の記載において、筒形に形成される表示帯の第２の位置合せ用基点には位置決めの許容範囲を表示する限界線を併設表示することを特徴とした遊技機用表示装置の回転表示球体。
【請求項６】
請求項１又は３乃至５の記載において、筒形に形成される表示帯には図柄表示の中心線上に表示される位置合せ用基点を通り、且つ上記中心線に対して直交する軸方向に沿った縦の線上に位置して筒形の一端若しくは両端の開口部縁に位置合せのための案内基点を表示してなることを特徴とした遊技機用表示装置の回転表示球体。
【発明の詳細な説明】
【技術分野】
【０００１】
本発明は、パチンコ遊技機等の遊技機に使用される表示装置に組込まれる回転表示球体に関する。
【背景技術】
【０００２】
表示装置に組込む回転表示球体（以下単に「表示球体」という。）は、可変表示装置に組込まれる回転ドラムと同様に表面に文字や数字，絵柄等からなる図柄を表示して、例えば遊技方法の設定において或る特定の入賞口に打球が飛入したとき、これを原因にして回転を開始し、次にこの回転を停止させて、停止位置において表れる図柄によって「当り」を表示すると言った状態で使用される。従って、この表示球体にも表面に所定の図柄が回転方向に沿って連続的に表示されることになる。
【０００３】
上記の図柄は、回転ドラムにおけると同様に周面の回転方向に沿って複数の数字等を連続して配置し、これをエンドレスに表示することになるが、回転ドラムの場合は、上記図柄の表示は通常、テープ状に形成した表示帯の表面に連続的に図柄を印刷する等して表現し、この表示帯をドラムの本体となる回転体の周面に巻付け、貼り付けることで表示するものとなる。
【０００４】
しかし、表示球体の場合は、回転ドラムとは違ってテープ状の表示帯をそのまま巻付けて表現することは不可能である。仮に球体の表面に巻付けることができたとしても、この表示帯が筒状になって球面を隠すことになっても球体の表面に沿って球形にはならず球形の表示体とはならない。
そこで、本発明者は熱収縮性フィルム（シュリンクフィルム）の特性に着目し、この素材を表示帯に使用し、その表面に印刷によって予め図柄を表現しておき、その後これを筒形にしての球体に被せ、次に加熱して筒形の表示帯を収縮させて球体の表面に密着させることで球体の表面に図柄を表示した回転表示球体の製造に成功したのである。
【０００５】
この回転表示球体の製造においては、先ず表示帯となる熱収縮性合成樹脂のフィルムをテープ状に形成して扁平な状態において表面側となる一面にテープの長さ方向に沿って図柄を連続的に表現し、次にこのテープの端部同志を接合して円筒形に形成し、そうしたのちこの筒形の表示帯を球体に被せるように嵌め付け、次にこの状態において加熱加工して表示帯の熱収縮力を利用して球体の表面に添って密着させ、貼付けることでこの球体の表面に図柄を表現するとするものである。特許文献１はこの製造手順に従って形成される回転表示球体とその製造法を示すものである。
【特許文献１】特開２００６−１４８１２号公報。
【０００６】
上記特許文献１においては、表示帯（表示体２）を球体（回転体１）に被せて加熱収縮するのを利用して球体を構成する２つの殻体３，４を結合させ、球形の回転体を成形するものとしているが、球体の構成はともかく、この球体の表面に表示帯を介して図柄を表現するものであって、球の表面に図柄を的確に表現した回転表示球体を容易に製造することができるものとなっている。
【０００７】
しかし、ここにおける一つの難点は、球体に対して図柄を表示した表示帯を所定の位置に正確に、且つ簡便に組付け製造することが困難なことにある。
つまり、回転表示球体における場合、回転ドラムにおける場合と同様に、球体に表示される図柄は球体の回転が止められたとき、その停止位置において特定の図柄が正しく表れる必要がある。このため球体とこの球体に表示される図柄とは一定の関係で位置決めされることになり、表示帯の組付けによって図柄を表示する場合もこの関係は守られることになるが、球体の表面に筒形に形成される表示帯を嵌め付けて両者の位置を正しく定め、貼り付けることは簡単なことではない。
【発明の開示】
【発明が解決しようとする課題】
【０００８】
従って、本発明は上述の事情に鑑み、回転表示球体の母体となる球体と、この球体の表面に被せて図柄を表示する表示帯との位置合せを簡単にして、しかも正確に行えるようにして、回転表示球体の製造性を向上させると共に良質な製品を提供できるようにしたことにある。
回転表示球体の母体となる球体は、前記特許文献１に開示されるように表示装置に組込む際には、球体に備えるベベルギャを駆動モータからの動力を伝えるアイドルベベルギャに噛み合せ、このとき両ギャの噛み合せ位置を決定しておくことで正確に組付け位置合せを行うことになるが、しかし、前記特許文献１には球体と表示帯とを正しく、しかも簡単に位置合せする手段がないので、作業者の勘によってこの両者を組合せる必要があり、手間取るものとなっていた。
【０００９】
ことに、球体に対して筒形の表示帯を嵌め付けること自体は容易であるが、球体の中心にこの表示帯を巻付け、球体の回転時に正しく回転方向に沿って図柄が回転し、順次一線上に連続して表示させるようにすること、つまり表示帯を球体の回転の中心線（赤道）に沿って巻付けることは簡単ではない。
本発明は、この点を改善し、球体と表示帯の位置を正確に、且つ簡単に合せることができるようにして球体の回転時に連続して表示される図柄の列が乱れることがないようにした遊技機の表示装置に使用される回転表示球体を提供しようとするものである。
【課題を解決するための手段】
【００１０】
本発明は、上述の目的を達成するため、球状に形成される球体の回転軸に対して直交する平面と交錯する球体表面上の線、つまり赤道上の一定位置に位置決めの原点となる基点を設定し、その一方この球体に被せる筒形に形成する表示帯の表面に帯の長さ方向、つまり筒の周方向に沿った中心線上の一定位置に前記球体の位置決めの基点に対応させて位置合せ用の基点を設定し、前記球体に対して表示帯を被せる際に球体の前記基点と、表示帯の位置合せ用基点とを一致させて両者の位置決めを行い、この状態で表示帯を加熱し、収縮させて球体の表面に貼り付けることにより球体の表面回転方向に沿った正確な位置に図柄を表示することができるようにしたことにある。
【００１１】
本発明を更に詳述すると、その特徴とするところは球体に対して筒形をなし、表面に周方向に沿って所定の図柄を連続表示する熱収縮性合成樹脂フィルム製の表示帯を被せ、該表示帯を加熱収縮させて前記球体の表面に貼り付けることによって球体の表面に図柄を表示するようにしてなる遊技機用表示装置の回転表示球体において、前記球体には表面の回転方向に沿った赤道上の一定位置に位置決め用基点を設置し、他方前記表示帯には前記筒形の状態における前記図柄表示の中心線上の一定位置に位置合せ用基点を設置して該表示帯を前記球体に被せる際に上記位置合せ用基点を前記位置決め用基点に合せることで前記球体と位置合せし、この状態で加熱収縮して貼り付けることを特徴とした遊技機用表示装置の回転表示球体を提供することにある。
【００１２】
また本発明は、上述回転表示球体にあって、前記球体は半球形をなす２つの殻体から構成し、該２つの殻体の開口部を衝き合せることによって形成される衝き合せ開口部縁を赤道にすると共に、該赤道上に位置決め用基点を設置することを特徴とした遊技機用表示装置の回転表示球体を提供することにある。
【００１３】
また本発明は、前記筒形に形成される表示帯の位置合せ用基点には位置決めの許容範囲を示す限界線を合せ表示することを特徴とした遊技機用表示装置の回転表示球体を提供することにある。
【００１４】
また本発明は、前記筒形に形成される表示帯の図柄表示の中心線上に位置合せ用基点に対して所要の間隔を置いて第２の位置合せ用基点を１若しくは複数個設置することを特徴とした遊技機用表示装置の回転表示球体を提供することにある。
【００１５】
また本発明は、前記筒形表示帯の第２の合せ用基点には位置決めの許容範囲を表示する限界線を合せ表示することを特徴とした遊技機用表示装置の回転表示球体を提供することにある。
【００１６】
そして更に、本発明は前記筒形に形成される表示帯には図柄表示の中心線上に表示される位置合せ用基点を通り、且つ上記中心線に対して直交する軸方向に沿った縦の線上に位置して筒形の一端若しくは両端の開口部縁に位置合せのための案内基点を表示してなることを特徴とした遊技機用表示装置の回転表示球体を提供することにある。
【００１７】
ところで、本発明における前記球体は、中心部を貫く中心線に沿って設ける回転軸に支持されるものとし、表示装置にはこの回転軸を介して回転自由に組込むものとする。そして、この球体の表面に設定される前記位置決め用の基点は、回転方向に沿った球表面上の中心線、つまり赤道上の定めた１点に表示することになる。
【００１８】
本発明において、球体自体の成形については特定されないが、前記２つの殻体の組合せによって形成する方法は、材料を合成樹脂素材とした場合有利である。
この２つの殻体による場合は、半球状をなす２つの殻体を用意し、両者の開口部を衝き合せることによって簡単に球形に組立てることができる。そして、この場合２つの殻体の各頂部に透孔を形成しておき、これを回転軸の軸受孔として利用することができ、表示装置に対する組付けにおいて容易になると同時に、自動的に前記衝き合せた両開口部が上記回転軸を支軸として回転するとき、表面上の中心線、つまり赤道となる。
従って、殻体の成形時に併せて上記開口部の１点に小突起を形成して置くと、この小突起が位置決め用の基点となり、後からの設定を省くことができる。
【００１９】
一方、前記表示帯は、熱収縮性合成樹脂のフィルム、所謂シュリンクフィルムをテープ状にしたものを基材とし、扁平な状態においてその一面（表面側となる一面）に印刷等の方法を利用して所定の図柄を表示することになる。
この図柄は、複数個の数字等の組合せからなるもので、上記テープの長さ方向に沿って全長に亘り連続的に表現するものである。そして、テープの両端を接続することで筒形に形成したとき、その表面の全周に亘って図柄がエンドレスに繋がるようにされる。
この筒形に形成される表示帯は、内周（内径）を前記球体の外周（外径）に略等しくなるようにして、嵌め付けたとき両者間に不要な空隙が出来ないようにして嵌め付けを安定化させるとよい。
【００２０】
更に、この表示帯はその幅員を表示する図柄の大きさに合せて決定することになるが、同時に球体に被覆して装飾の効果を高める上から被覆する範囲を考慮して決定することになる。そして更に、この表示帯は球体に対して嵌め付けたとき、球体に対して表示帯がバランス良く被り、次の加熱収縮するに当って両者の位置合せが容易になるように出来れば球体の直径に近い幅員をもたせることが望ましい。
【００２１】
上記表示帯に設定する前記位置合せ用の基点は、筒形をなす表面に周方向に沿って表示される図柄の中心を通る仮想の中心線上、つまり筒形をなす表示帯の幅方向におけるいずれかの中間位置に設けられることになる。
更に言えば、この基点は球体に対して表示帯に表示した図柄が常に定位置に配置され、両者の組合せ毎に球体上に表示される図柄の配置位置にバラ付きが出ないように予め定めた１点に表示されることになる。
【００２２】
また、この表示帯に表示される位置合せ用基点は目視によって球体の基点に合せることから、表面に可視可能に表示される。そして、この表示位置は図柄の表示位置に表示することになるので、図柄の表現を妨げないように配慮されることが望まれる。
ところで、この基点は正確に位置合せをする上から点として表現されることが望まれるが、球体の大きさから或る程度の誤差が許され、更には製造性を上げる上から、基点の周囲に許容範囲を示す限界線を表示し、この範囲で一致するようにすると更に作業性を上げることができる。
【００２３】
前記第２の位置合せ用基点は、球体上の赤道に沿って筒形をなす表示帯を正しい方向に沿って嵌め付けるための目安とする目印である。
前記位置合せ用基点は、球体に対する図柄の配置位置を特定するためのものであるのに対して、この第２の位置合せ用基点は球体の赤道に対するずれ、つまり傾くことによって球体が回転したとき図柄が左右に振れるのを防止するためのもので、位置合せ用基点に対して所要の距離を置いて表示することになる。
【００２４】
この第２の位置合せ用基点は、１点、好ましくは複数個間隔をおいて設定するとよい。複数個とした場合、球体の赤道との確認個所が多くなるので、作業性を更に良くすることになり、良質の回転表示球体を得ることができる。
尚、第２の位置合せ用基点についても前記同様に許容範囲を示す限界線を付加すると、更に作業性を向上させることができる。
【００２５】
一方、前記案内基点は、球体に対して筒形をなす表示帯を嵌め付けるとき、直接位置合せ用基点を一致させることの困難性に鑑み、これを解消するため表示した目印である。この案内基点は、表示帯の端部、更に詳しくは筒形をなす表示帯の前記位置合せ用基点上を通る筒の軸方向の直線と交わる開口部の縁部に設けられる。
この案内基点は、筒の端部、つまり開口部の縁にあることから球体に対して表示帯を被せるとき、この案内基点を球体の赤道上に表示される位置決め用基点に直接合せることができる。従って、この状態で表示帯を球体に向けて押付け、被せるようにすると、前記直線上に位置する位置合せ用基点が上記案内基点に代って球体の位置決め用基点に一致することになり、この結果簡単に基点同志の位置合せができることになるのである。
【００２６】
上述の様に構成され、且つ嵌め合せの関係におかれる前記球体と前記表示体とは、正しく組合ったところで、表示体が収縮する温度下で加熱して筒形をなす表示帯を収縮させ、球体の表面に密着させて一体化し、貼り付け、表示帯の表面に表わした図柄を球体の表面のものにして回転表示球体を完成させることになる。
尚、表示帯の材料となる熱収縮性の合成樹脂フィルムについては、１つに特定されないが、例えばポリ塩化ビニル、ポリオレフィン系樹脂、ポリエステル系樹脂、ポリスチレン系樹脂、などの合成樹脂フィルムが適当である。
【発明の効果】
【００２７】
本発明は以上の如く構成されることから回転表示球体の母体となる球体に対して外表面に図柄を連続して表示した筒形に形成してなる表示帯を被せる際、上記球体の赤道上に表示する位置決め用基点に表示帯に表示する位置合せ用基点を重ねて一致するようにすると、球形と筒状の異なる形状に係る両者を予め定めた位置関係に正確に位置合せすることができることことになる。従って、作業性を高めることができると同時に、別体である球体と表示帯とを常に一定の位置関係で結合させられるため球体の表面に表示する図柄を適正な位置にセットすることができ、製品不良を未然に防止することができる。
そして、球体の赤道上に表示帯の位置合せ用基点、更に第２の位置合せ用基点を設けることで表示帯の巻付け位置を簡単に決めることができることから球体の回転方向の中心線上、つまり赤道上に図柄を乱れることなく配列することができ、美麗な回転表示球体を提供することができる。
次に、本発明を図面に示す実施例につき説明し、併せてその他の特徴を説明する。
【発明を実施するための最良の形態】
【００２８】
図面は、本発明に係る遊技機用表示装置の回転表示球体の一実施例を示している。図１から図６は本発明の回転表示球体１を構成する球体２と、この球体に被せる表示帯３の構造並びに組合せ関係を説明する図面であり、図７から図９は上記回転表示球体１を遊技機に装備する表示装置に組込み使用する状態を示した説明図である。
【００２９】
球体２は、真円形に形成して球体の中心点を通過する回転軸（後述する）を支軸にして回転する構造にしてある。ここに示す球体は半球形をなす２つの殻体２ａ，２ｂから構成し、円形をなす相互の開口部４ａ，４ｂを衝き合せ、接合することで組立てる構造にしてある。
上記２つの殻体２ａ，２ｂは、半球形をなす殻の底部に当る部分を扁平面（実際には円形の面となる）にして、一方の殻体２ａにおいては回転軸を通す透孔５を、他方の殻体２ｂにおいては同じく回転軸を通す透孔６と、ベベルギヤ７を装着する爪掛けの穴８を設けて後述する表示装置への組込みに備えてある。この殻体２ａ，２ｂはプラスチックを材料に成形してある。尚、図示しないが前記衝き合せる開口部４ａ，４ｂの一方には周方向に環状の突条を、他方には上記突条を受ける環状の凹部を設けて衝き合せる際に相互を嵌め合せて縁部同志のずれを防止するようにしてある。
【００３０】
この２つの殻体２ａ，２ｂの組合せによって形成される球体２は、両殻体の衝き合せになる開口部４ａ，４ｂが回転軸を中心にして回転するとき、球体表面の回転の中心線を構成することになり、赤道９を構成することになる。そして、この赤道９を構成する開口部４ａ，４ｂの衝き合う一定位置に１つの突起を隆設し、これを位置決め用基点１０としている。
上記位置決め用基点１０は、突起として設けることに限られないが、前記殻体２ａ，２ｂを形成する際に成形型において前記開口部の一方、若しくは双方に分割した状態で一体的に形成することができる。
この一体的な成形は、設置が容易であると同時に、製造する全ての球体において一定位置に設けることができるので製品を均一化する上でも有利である。更には上に被る表示帯を通してこれを盛り上げるようになるので、位置を確認するのに有利である。
【００３１】
一方、表示帯３は熱収縮性の合成樹脂フィルムを材料に成形されるが、このフィルムを基材にして図２に示すように先ずテープ状に形成し、このテープ状の状態において、表面となる一面に前記球体２の表面に表わす図柄１１を表示する。
この表示帯３は、図柄１１を球体２の表面上に表示するためと、ここでは２つの殻体２ａ，２ｂを結合させるためにも使われるものとなっており、このため所要の幅員を以て形成してある。具体的には横幅を球体２の直径に揃えると共に、縦の長さを球体２の円周に合せたものにしてある。
【００３２】
表示する前記図柄１１は、ここでは「１」から「８」までの数字にしてテープの長さ方向に沿って仮想の中心線上に並べてある。そして、全長に亘って均一に分散配置するようにしてある。
このテープ状の表示帯３には図柄１１を表示するのに併せて、前記仮想の中心線上の一定位置に位置合せの基点１２を表わすと共に、この基点１２を囲むように後述する位置合せの誤差を許容する限界線１２ａを表示している。
【００３３】
更に、上記表示帯３には上記位置合せ用基点１２と共同して球体２の定位置に被せるための第２の位置合せ用基点１３を表示している。
この第２の基点１３は前記仮想の中心線上にあり、且つ前記位置合せ用基点１２から離れた位置に表示してある。そして同時に、この基点１３の左右には位置合せの誤差を許容する限界線１３ａ，１３ａが並行して表示してある。
【００３４】
この様に表面側になる一面に図柄１１、位置合せ用基点１２、第２の位置合せ用基点１３を各表示したテープ状の表示帯３は、次にその両端を繋いで図３に示すように筒形に形成する。そうした後、この筒形の表示帯３を前記球体２の一方の殻体２ａ（又は２ｂ）に向けて嵌め付け、球体２の全体を包み込むように被せる。
図４は球体２に対して表示帯３を被せる前の姿を示しており、図５は球体２の半分まで被せた姿を示している。
【００３５】
表示帯３は、前述したようにテープ状にあるとき、長さを球体２の円周に合せて若干長くしてあり、これによって筒形に形成したとき表示帯３はその内周が球体２の外周より僅かに大きくなるようにしてある。従って、図示するように球体２に向けて筒形の表示帯３を一方の開口端を臨ませるようにして嵌め付けると、開口端は抵抗を受けることなく赤道９の位置まで進み、球体２の半分、つまり一方の殻体２ａの全体を包み込むまで被ることになる。
【００３６】
図中１４は、上記表示帯３の開口端に表示した案内基点である。この案内基点１４は前記位置合せ用基点１２を通り、且つこの基点１２が表示される仮想の中心線に対し直交する線上、つまり筒の軸方向に沿った線上に表示される基点であり、前述の様に表示帯３を球体２の半分まで被せたとき、球体２の赤道９上に表示した前記位置決め用基点１０にそのまま合致することになる（図５を参照）。
【００３７】
この案内基点１４は、上記球体上に表示される位置決め用基点１０と表示帯３の表面上に表示した位置合せの基点１２との位置合せを誘導するための目安点となるもので、この
案内基点１４を前述のように位置決め用基点１０に合せたのち、表示帯３を更に直線的に進めて球体２の全体を包み込むように被せると、図６に示したように球体２は表示帯３の中央部に収まり、同時に案内基点１４の内側に位置した位置合せ用基点１２が案内基点１４に代って球体の位置決め用基点１０に重なり、球体２と筒形の表示帯３との位置合せが自動的に行われることになる。
【００３８】
この様にして基点１０と基点１２との位置合せが行われたところで、この一致を保持しながら第２の位置合せ用基点１３を球体２上に表示される赤道９に合せ、表示帯３を赤道９に沿って巻付けて位置づれのない状態にして球体２に対する嵌め付けを行う。
【００３９】
次にこの状態を保って、前記表示帯３を被せた球体２を加熱器に持ち込み、表示帯３が熱収縮する温度で加熱する。この加熱によって表示帯３は球体２から離れた部分が収縮し、球体２の表面に密着して貼り付き、表示帯３の表面に表示した図柄１１がそのまま球体２の表面に表わす図柄１１となるのである（図１参照）。
【００４０】
尚、表示帯３はテープ状の状態から筒形に形成したとき、その内周を球体２の外周より僅かに大きくすることによって、簡単に嵌め付けることができると共に、開口端に表示した案内基点１４を球体２の表面に表示する位置決め用基点１０に合せることが容易になり、更にはこの案内基点１４を案内手段にして位置決め用基点１０と表示帯の位置合せ用基点１２の位置合せが容易になっている。
【００４１】
また、前述したように球体２の位置決め用基点１０を球体２の表面から突出する突起状に形成することによって、表示帯３を被せた状態で位置合せ用基点１２と合せるとき、この表示帯３の表面を突き上げ、目印となることから位置合せに便利であり、有効である。
つまり、位置決め用基点１０と位置合せ用基点１２との位置合せは表示帯３がこの位置決め用基点１０を被い隠した状態で行うことになるので、突起として基点１０が突き出た状態にあると、表示帯３の上からの位置確認が容易になる。
【００４２】
次に、図７乃至図９は、上記構成に係る回転表示球体１を表示装置１５に組込み、使用する状態を説明する説明図である。
表示装置１５は、前面を開放した箱形のケース１６と、ケースの背後にあって駆動機構をセットする基板１７とを備えている。
この表示装置１５は前記回転表示球体１を自転、公転する構造にしてあり、そのため公転用のモータ１８と、自転用のモータ１９を有する。
【００４３】
公転用のモータ１８は基板１７の上部に設ける枠２０に収まり、駆動軸２１に設けたプーリ２２に架けるタイミングベルト２３を割り出し板プーリ２４に渡し、この割出し板プーリ２４を回転できるようにしている。
一方、前記ケース１６には略半球形の椀形をなす回転枠２５を収めてあり、この回転枠２５の底部から突き出す円筒形の軸体２６を前記基板１７に開設する軸受孔に貫通状に通し、後方に抜け出す軸端に前記割出し板プーリ２４を固着し連結している。
【００４４】
上記軸受孔に通された軸体２６は、軸受滑合部材２７によって支持され、自由に回転するようにしてある。そして、この軸体２６を中心にして回転する前記回転枠２５には回転軸２８を介して前記回転表示球体１を組込んでいる。
回転軸２８は、球体２に形成する前記透孔５，６に両軸端を通して組付け、更にこの両軸端を前記回転枠２５の開口縁に設ける軸受部２９，３０に軸承し、回転自由に支持している。
【００４５】
従って、前記公転用のモータ１８が駆動すると、プーリ２２を介してタイミングベルト２３が走行し、割出し板プーリ２４が回転する。そして更に、前記軸体２６を介して回転枠２５が左右方向（図７の矢符方向）に回転することになる。このため、この回転枠２５に回転軸２８を介して支持される回転表示球体１は、公転用モータ１８の駆動によって図９において垂直方向に回転する公転運動を行うことになる。
【００４６】
一方、自転用モータ１９は基板１７の下部に設ける枠３１に収められ、その駆動軸３２に設けたプーリ３３に割出し板プーリ３４に渡るタイミングベルト３５が架けられる。
割出し板プーリ３４は、前記軸体２６の内側を貫通する軸体３６にネジ３７によって固定してあり、この軸体３６の先端に前記回転枠２５の内側に収まるドライブベベルギヤ３８が設けてある。そして、このドライブベベルギヤ３８には前記回転枠２５の内側に回転自由に軸承するアイドルベベルギヤ３９が噛合し、更にこのギヤ３９には球体２の一方の軸受用の前記透孔６に添わせた前記ベベルギヤ７が噛合するようにしてある。
【００４７】
従って、自転用モータ１９が駆動すると、タイミングベルト３５によって割出し板プーリ３４が軸体３６を支点に回転し、ドライブベベルギヤ３８を回転する。そして、このギヤ３８の回転によりアイドルベベルギヤ３９が回転し、ベベルギヤ７が回転することになり、この結果球体２はこれを支持する回転軸２８を中心にして図９において水平方向に回転することになる。
【００４８】
ところで、公転用モータ１８によって駆動される公転系統に組込まれる割出し板プーリ２４と、自転用モータ１９によって駆動される自転系統に組込まれる割出し板プーリ３４とは、共に回転表示球体１が回転し、次に一定の指示を受けてこの回転を止めるときの停止位置確定のための検出手段となっているもので、上記両割出し板プーリ２４，３４には回転表示球体１の回転位置を割出すためのスリットが設けられ、またこのスリットを検出する位置確認センサが臨ませてある。
尚、ここでは回転表示球体１上に表示される図柄を対象とすることから割出しの実際を自転系統の割出し板プーリ３４について説明し、他を省略する。
【００４９】
図８に示すように前記割出し板プーリ３４には、周方向に沿って前記回転表示球体１の表面に表示する図柄１１として均等に配置する「１」〜「８」の数字に対応した回転角検出用の８個のスリット４０と、原点検出用スリットが設けられ、これらのスリットに向けて上記回転角検出用スリット４０を検出するセンサ４１と、原点検出用スリットを検出するセンサ４２が臨ませてある。
前記図柄１１の数字に合せた８個の回転角検出用のスリット（ここでは検出センサ４１に１個が隠れて７個が表示されている。）は、その内の１つのスリット４０に原点検出用スリット（図面には検出用センサ４２に隠れて表示されていない。）が重複して設置されている。
【００５０】
上述の検出の実際について説明すれば、図示しない遊技制御装置からの指令に基づいて、前記自転用のモータ１９が駆動し、回転表示球体１が回転軸２８を中心に回転している状態において、次の指令によって特定の数字を表示すべく指示を受けたとき作動することになる。例えば、回転表示球体１が回転するとき、「５」の数字を表示すべく指示を受けたとき、先ず原点となるスリットの通過を原点検出センサ４２によって検出し、次にこれを基準にしてこの原点スリットから「５」に相当する回転角検出用スリット４０、つまり原点スリットと重なる第１番目のスリットから第５番目に当る回転角検出用スリット４０を検出センサ４１が検出したとき、自転用モータ１９の駆動を停止し、これによって回転表示球体１の回転を止め、周面に表示する図柄１１のうち「５」の数字を表示装置１５の前面に向けて表示することになるのである。
【００５１】
勿論、この割出し板プーリ３４上に設けられる１個の原点スリット、及び８個の回転角検出用スリット４０と、回転表示球体１上に表示される図柄１１の数字の配列位置とは一致するように組付けられることは言うまでもなく、実際には割出し板プーリ３４と一体に回転するドライブベベルギヤ３８とアイドルベベルギヤ３９との噛み合せ、或はアイドルベベルギヤ３９とベベルギヤ７との噛み合せの調整等によって割出し板プーリ３４上の各スリットと、回転表示球体１上の図柄１１との一致が計られる。
【００５２】
尚、図中４３は表示装置１５を取付ける遊技盤であり、４４は遊技盤４３の前面を被うガラスであって、上記表示装置１５のケース１６は、前縁部に取付板４５を備え、この取付板を遊技盤４３の背面に添わせる。その一方、前面開口部を飾る飾り窓枠４６を組付けてこの窓枠４６と上記取付板４５とで遊技盤４３を前後から挟み付け固定するようにしてあり、飾り窓枠４６の円形の開口部４７から前記回転表示球体１の前半の球表面部分が覗けるようにしてある。
【００５３】
以上本発明に係る回転表示球体１と、この球体を組付け使用する表示装置１５との関係を使用の一例を通して説明したが、回転表示球体１は表示装置１５のモータ１９（１８）を始めとする駆動機構により回転されると同時に、その停止は割出し板プーリ３６（２４）に設けられる検出スリット４０をセンサ４１（４２）によって検出することによって行われ、回転と、回転の停止が正確に制御されるようになっている。
従って、遊技する中で回転表示球体１上に表示される図柄１１の選択が実行されると、モータの駆動によって回転が開始されると共に、所定の時間の経過後に回転の停止が実行されて所定の位置で停止し、ここで予め定めた特定の図柄の１つが遊技者に示されるものとなる。
【００５４】
この様な中にあって、本発明の回転表示球体１は球体２と図柄１１を表示する表示帯３との組合せにおいて、両者に互いに一致させる目印となる位置決めの基点１０と、位置合せの基点１２を設けて両者の結合時に、つまり球体２の表面に筒形に形成される表示帯３を被せるときに、この両基点１０，１２を合せることで正確に位置合せできるものとしたことから、常に球体２の適正な位置に図柄１１を表示する表示帯３を的確に、しかも容易且つ迅速に嵌め付けセットし、加熱収縮することで貼り付けることができることから良質な回転表示球体を容易に得ることができ、しかも常に球体と表示帯とが一定の位置関係で結合することから量産するにおいても製品にバラ付きがない回転表示球体を提供できる利点がある。
従って、更には表示装置に対して上記回転表示球体１を組付けるとき、この回転表示球体１と表示装置１５の駆動機構、例えばベベルギヤ７とアイドルベベルギヤ３９との噛み合せ位置を決めれば、全ての装置において適正な組付けを行うことができ、組立時における不良品の発生を未然に防止することもできる。
【図面の簡単な説明】
【００５５】
【図１】回転表示球体の斜視図。
【図２】展開した状態における表示帯の斜視図。
【図３】筒形にした状態における表示帯の斜視図。
【図４】球体に対し筒形にした表示帯を被せる直前の分解斜視図。
【図５】球体に対し筒形の表示帯を被せるに当って位置決め用基点に案内基点を一致させた状態を説明する斜視図。
【図６】球体に対して筒形の表示帯を被せた状態の斜視図。
【図７】回転表示球体を装着した使用状態を説明する表示装置の正面図。
【図８】図７の背面図。
【図９】表示装置の使用状態を説明する中央縦断右側面図である。
【符号の説明】
【００５６】
１            回転表示球体
２            球体
２ａ，２ｂ    球体を構成する半球形の殻体
３            表示帯
９            球体の赤道
１０          位置決め用基点
１１          図柄
１２          位置合せ用基点
１２ａ        許容範囲を示す限界線
１３          第２の位置合せ用基点
１３ａ        第２の位置合せ用基点の許容範囲を示す限界線
【図１】
2007296045.tif 000003
【図２】
2007296045.tif 000004
【図３】
2007296045.tif 000005
【図４】
2007296045.tif 000006
【図５】
2007296045.tif 000007
【図６】
2007296045.tif 000008
【図７】
2007296045.tif 000009
【図８】
2007296045.tif 000010
【図９】
2007296045.tif 000011